(57)【要約】【課題】シールゴム輪を殴打することなく、締め付けによる軽作業で装着できるシールゴム輪装着装置の提供。【解決手段】一方の管に他方の管が差し込まれて仮接続状態に置かれた前記一方の管のフランジの締結穴に係脱自在に係合する腕部と、前記他方の管に予め嵌挿されたシールゴム輪を後押しする押輪の締結穴に係脱自在に係合して前記腕部に相対して移動可能な可動腕部と、前記可動腕部を前記腕部に対して接離自在に当該管の軸方向に移動させる駆動手段とを備え、前記可動腕部で押輪をフランジ側に押し付けて、前記シールゴム輪を一方の管の内側と他方の管の外側との間に押し込むことを特徴とする。【選択図】　　　　図１
2004092823.tif 000002
【特許請求の範囲】
【請求項１】
一方の管に他方の管が差し込まれて仮接続状態に置かれた前記一方の管のフランジの締結穴に係脱自在に係合する腕部と、前記他方の管に予め嵌挿されたシールゴム輪を後押しする押輪の締結穴に係脱自在に係合して前記腕部に相対して移動可能な可動腕部と、前記可動腕部を前記腕部に対して接離自在に当該管の軸方向に移動させる駆動手段とを備え、
前記可動腕部で押輪をフランジ側に押し付けて、前記シールゴム輪を一方の管の内側と他方の管の外側との間に押し込むことを特徴とするシールゴム輪装着装置。
【請求項２】
駆動手段は、可動腕部を螺合して貫通して先端部が相対する腕部側に回動自在に軸着されて管の軸方向に延在するネジ棒と、当該ネジ棒を軸回動させる駆動源とを備えたことを特徴とする請求項１に記載のシールゴム輪装着装置。
【請求項３】
駆動手段は、管の軸方向に延在するネジ棒であって、可動腕部を螺合して貫通し、先端部が相対する腕部側に回動自在に軸着され、後端部に当該ネジ棒を回動させる際の回動具が係止する係止部を備えたことを特徴とする請求項１に記載のシールゴム輪装着装置。
【請求項４】
腕部及び可動腕部の双方又は一方の相対面側に、少なくとも、大きな締結穴に嵌合する大径の凸状部と小さな締結穴に嵌合する小径の凸状部とを、大径から小径の凸状部の順に同心円状に積み上げられた形状に形成された締結穴係合段部を備えたことを特徴とする請求項１乃至請求項３の何れかに記載のシールゴム輪装着装置。
【請求項５】
締結穴係合段部を構成する各凸状部は略円柱形状であることを特徴とする請求項４に記載のシールゴム輪装着装置。
【発明の詳細な説明】
【０００１】
【発明の属する技術分野】
本発明は、ダクタイル管等の管を接続する際に用いる作業用装置に関し、詳しくは、仮の接続状態に置かれた一方の管のフランジ側に、他方の管に予め嵌挿されたシールゴム輪を押輪を介してフランジ側に締め付けて装着するシールゴム輪装着装置である。
【０００２】
【従来の技術】
従来、シールゴム輪を装着するには、一方のフランジ側の管に他方の管の端部を挿入して仮に接続された状態として、予め、他方の管に嵌挿しておいたシールゴム輪及び当該シールゴム輪を後押しする押輪のうち、先ず、シールゴム輪をハンマー等を用いて叩きながらフランジ側の管の内周面と他方の管の外周面との間に或る程度均等に押し込み、次に、押輪の締結穴とフランジの締結穴にボルトを通して押輪をフランジ側に締め付けて装着していた。
【０００３】
従来は、このような手法でシールゴム輪を装着しており、本願発明の装置のようなものは存在していなかった。従って、出願人は、本願発明に係る装置に関し、先行する技術文献情報の存在について不知である。
【０００４】
【発明が解決しようとする課題】
従来の手法では、シールゴム輪を叩きながら管軸方向に移動させる作業となるため、或いは強く或いは弱く、加減しながら幾度も幾度も叩き作業を行わねばならず、煩雑できつい作業となっていた。又、シールゴム輪を殴打する際には騒音が発生するため、人家が密集する地域での夜間作業に支障があった。
【０００５】
本発明は、かかる課題の解消を目的としてなされたもので、シールゴム輪を殴打することなく、軽作業で装着できるシールゴム輪装着装置の提供を目的とする。
【０００６】
【課題を解決するための手段】
請求項１のシールゴム輪装着装置の発明は、一方の管に他方の管が差し込まれて仮接続状態に置かれた前記一方の管のフランジの締結穴に係脱自在に係合する腕部と、前記他方の管に予め嵌挿されたシールゴム輪を後押しする押輪の締結穴に係脱自在に係合して前記腕部に相対して移動可能な可動腕部と、前記可動腕部を前記腕部に対して接離自在に当該管の軸方向に移動させる駆動手段とを備え、前記可動腕部で押輪をフランジ側に押し付けて、前記シールゴム輪を一方の管の内側と他方の管の外側との間に押し込むことを特徴とする。
【０００７】
請求項２の発明は、請求項１に記載のシールゴム輪装着装置において、駆動手段は、可動腕部を螺合して貫通して先端部が相対する腕部側に回動自在に軸着されて管の軸方向に延在するネジ棒と、当該ネジ棒を軸回動させる駆動源とを備えたことを特徴とする。
【０００８】
請求項３の発明は、請求項１に記載のシールゴム輪装着装置において、駆動手段は、管の軸方向に延在するネジ棒であって、可動腕部を螺合して貫通し、先端部が相対する腕部側に回動自在に軸着され、後端部に当該ネジ棒を回動させる際の回動具が係止する係止部を備えたことを特徴とする。
【０００９】
請求項４の発明は、請求項１乃至請求項３の何れかに記載のシールゴム輪装着装置において、腕部及び可動腕部の双方又は一方の相対面側に、少なくとも、大きな締結穴に嵌合する大径の凸状部と小さな締結穴に嵌合する小径の凸状部とを、大径から小径の凸状部の順に同心円状に積み上げられた形状に形成された締結穴係合段部を備えたことを特徴とする。
【００１０】
請求項５の発明は、請求項４に記載のシールゴム輪装着装置において、締結穴係合段部を構成する各凸状部は略円柱形状であることを特徴とする。
【００１１】
【発明の実施の形態】
実施の形態１．
以下、本発明の実施の形態１を示す図１乃至図３に基づいて説明する。図１は装置の縦断側面図、図２は装置の外観側面図、図３は装置の外観底面図である。
【００１２】
図１において、１はフランジ１１を備えた一方の管であり、１２はフランジの円周方向に適宜間隔にて設けられた締結穴である。以下、この管１をフランジ側管、締結穴１２をフランジ側締結穴ともいう。
２は他方の管であり、当該管２の端部が前記一方の管１に差し込まれて仮接続状態に置かれている。３は前記他方の管２の外周面側に予め嵌挿されたシールゴム輪である。
４は当該シールゴム輪３を後押して装着状態を水密に維持させるための押輪であり、４１は押輪の外縁に沿って適宜間隔で設けられた締結穴である。以下、この締結穴４１を押輪側締結穴ともいう。
【００１３】
図１乃至図３において、この実施の形態に示す本発明のシールゴム輪装着装置（以下、本装置ともいう）５は、前記一方の管１のフランジ１１の締結穴１２即ちフランジ側締結穴１２に係脱自在に係合する係合部７０を備えた第１の腕部としての腕部５１であり、本装置５の略筒状の装置フレーム５２の一方端側に不動に固定されている。
【００１４】
この腕部５１に相対するように、装置フレーム５２の他方端側には、可動腕部５３が腕部５１に対して或いは接近したり或いは離れたりと接離自在に移動できるように配設されている。
図２及び図３に示すように、可動腕部５３は、その先端側の係合部７０が装置フレーム５２の長手方向に開設されたガイドスリット５２１から外部に向けて突設され、可動腕部５３の後端側の基部５３１が装置フレーム５２の長手方向に移動自在に配設されている。
【００１５】
このように、腕部５１に相対して移動可能な可動腕部５３を、これと相対する当該腕部５１に対して接離自在に、管１（及び管２）の軸方向に駆動させる駆動手段６０は、適当な電動機等を駆動源として用いてもよいが、この実施の形態ではネジ棒６１を用いて手動で駆動する構成としている。
図において、駆動手段６０は、管１の軸方向に平行に延在するよう装置フレーム５２内の長さ方向に、前記可動腕部５３の基部５３１を螺合して貫通し、先端部が相対する腕部５１の基部５１１側に回動自在に軸着されたネジ棒６１であり、当該ネジ棒６１の後端部を装置フレーム５２の外部に突設させ、当該後端部に当該ネジ棒６１を回動させる際に、適当な回動具（図示せず）が係止する係止部６２が設けられている。
【００１６】
この駆動手段６０によれば、ネジ棒６１の後端部の係止部６２を適宜手段により回動操作することによって、当該ネジ棒６１に螺合された可動腕部５３がネジ棒６１の軸方向即ち管１の軸方向（図において左右方向）に自在に移動する。この際、可動腕部５３は装置フレーム５２のガイドスリット５２１によって移動方向及び範囲が規制される。
【００１７】
腕部５１及び可動腕部５３の少なくとも何れか一方、この例では双方の相対面側に設けられた係合部７０には、各々相応するフランジ側締結穴１２或いは押輪側締結穴４１に係脱自在に係合するよう挿入される係合部としての締結穴係合段部７０、７０が設けられている。
この各締結穴係合段部７０、７０は、少なくとも、大きな締結穴（図示せず）に嵌合可能な大径の凸状部７２、７２と小さな締結穴（図示せず）に嵌合する小径の凸状部７３、７３、とが、大径から小径の順に凸状部７２、７３が同心円状に、フランジ側締結穴１２或いは押輪側締結穴４１の穴縁領域に当接する加圧部７１上に積み上げられた形状に形成されている。
図において、この実施の形態では、加圧部７１に大径、小径の順に略円柱状の凸状部７２、７３が積み上げられたように形成されている。
【００１８】
次に、本装置を用いたゴム輪３の装着方法を説明する。
先ず、予め、他方の管２の接続挿入される端部に、シールゴム輪３及び押輪４を、先に押輪４、次にシールゴム輪３の順に嵌めておく。この順に嵌挿するのは、後述するように、シールゴム輪３を押輪４で後押ししてフランジ１１側に装着させるからである。
こうして、この他方の管２の前記端部側をフランジ側管１に挿入して両管１、２を接続された状態に仮設する（図１）。
【００１９】
次に、本装置５の一方の腕部５１の任意のフランジ締結穴１２に、他方の可動腕５３を前記フランジ１１と相対する押輪４の押輪締結穴４１に、夫々外側から当接する。
この場合、ネジ棒６１を適宜回動させて可動腕部５３を適宜移動させながら、フランジ締結穴１２には、当該締結穴１２の径に相応する腕部５１の締結穴係合段部７０の凸状部即ち図において中径の凸状部７２をすっぽりと嵌合させ、他方の押輪締結穴４１には、可動腕部５３の締結穴係合段部７０の凸状部７２を同様に嵌合させて、本装置５を両管１、２から容易には離脱しないように係合させる。
【００２０】
次に、可動腕部５３で押輪４をフランジ側に押し付けて、シールゴム輪３を一方の管１の内側と他方の管２の外側との間に押し込むよう（図１）、ネジ棒６１を回して可動腕部５３を他方の腕５１側に近づくように移動させて行く。
この場合、本装置５を２台或いは３台・・・と複数台用いて、環状に配設された複数の締結穴（１２及び４１）に対して等間隔に配して、同時的に各装置５のネジ棒６１を締め付けていくと、押輪４を管２の軸方向と平行に移動させて行くことができるので、効率よく円滑に締結作業即ちシールゴム輪３の装着作業を行うことができる。
【００２１】
尚、この実施の形態では、腕５１及び可動腕５３に係合部７０を各々設けているが、必ずしもこのような係合部７０は必要ではない。
【００２２】
【発明の効果】
請求項１乃至請求項５の各発明によれば、何れも、シールゴム輪を殴打することなく、締め付けによる軽作業でシールゴム輪を装着することができる。
【００２３】
請求項２及び請求項３の各発明によれば、何れも、ネジ棒を回すという軽作業にて、騒音を立てずにシールゴム輪を装着することができる。
【００２４】
請求項４の発明によれば、本装置を管に係止させることができるので、装置の脱落の心配が無く、締め付け作業に専念することができ、締め付け作業効率を高めることができる。
【図面の簡単な説明】
【図１】装置の縦断側面図である。
【図２】装置の外観側面図である。
【図３】装置の外観底面図である。
【符号の説明】
１　管（フランジ側管）、２　管（押輪側管）、３　ゴム輪、４　押輪、５　本装置（シールゴム輪装着装置）、１１　フランジ、１２　締結穴（フランジ側締結穴）、４１　締結穴（押輪側締結穴）、５１　腕、５２　装置フレーム、５３　可動腕、６０　駆動手段、６１　ネジ棒、６２　係止部、７０　締結穴係合部（係合部）、７２、７３　凸状部（係合部）、５１１　基部（腕）、５２１　ガイドスリット、５３１　基部（可動腕）。
【図１】
2004092823.tif 000003
【図２】
2004092823.tif 000004
【図３】
2004092823.tif 000005